(57)【要約】【課題】  異種のコマサイズを連続的に有する写真フィルムであっても自動的に焼き付けができるようにすることを目的とする。【解決手段】  光学的位置検出用透孔１９が配されこの光学的位置検出用透孔１９間に写真フィルムに関する情報を有する非撮影エリア、この有効撮影エリア上の画像の露光に伴いこの非撮影エリアに記録され焼付けすべきエリアを示すコマサイズ信号１２ａ、この非撮影エリアに記録されたコマ番号４１ａ及び略直線状のフィルム先端部からなりスプロケット駆動用孔を無くした写真フィルムと、スプライスして接続してなる複数のこの写真フィルムを連続的に焼き付けるため、この非撮影エリアの一縁部近傍に記録されたコマサイズ信号１２ａとコマ番号４１ａとを検出し、フィルムの給送に基づいて、コマサイズ信号１２ａを識別し正誤を判断した後、識別したコマサイズ信号１２ａに応じて指定されるマスクの開口サイズを選択してこの写真フィルムの画像を印画紙４６に焼付ける焼付け装置とからなるものである。【選択図】        図１ 
2004264864.tif 000002
【特許請求の範囲】
【請求項１】
光学的位置検出用透孔が配され前記光学的位置検出用透孔間に写真フィルムに関する情報を有する非撮影エリア、前記有効撮影エリア上の画像の露光に伴い前記非撮影エリアに記録され焼付けすべきエリアを示すコマサイズ信号、前記非撮影エリアに記録されたコマ番号及び略直線状のフィルム先端部からなりスプロケット駆動用孔を無くした写真フィルムと、スプライスして接続してなる複数の前記写真フィルムを連続的に焼き付けるため、前記非撮影エリアの一縁部近傍に記録されたコマサイズ信号とコマ番号とを検出し、フィルムの給送に基づいて、コマサイズ信号を識別し正誤を判断した後、識別したコマサイズ信号に応じて指定されるマスクの開口サイズを選択して前記写真フィルムの画像を印画紙に焼付ける焼付け装置とからなることを特徴とする写真システム。
【発明の詳細な説明】
【技術分野】
【０００１】
本発明はスプロケット駆動用透孔を無くしたフィルムを用いる写真システムに関する。
【背景技術】
【０００２】
現行の一般写真用の３５ｍｍフィルム（システム１３５）は、そのサイズなどがＪＩＳやＩＯＳなどにより規定されている。
【０００３】
図１８は、その規定されているサイズの一部を示すもので（許容誤差については省略）、写真フィルム１の幅３５ｍｍ、フィルム送り用パーフォレーション２の対向間隔は２５ｍｍ、パーフォレーション２のピッチは４．７５ｍｍである。そして、このような写真フィルム１に対して、コマ３が写真フィルム１の幅方向には２４ｍｍ、長さ方向には３６ｍｍの大きさの長方形に形成されるとともに、このコマ３のピッチは、パーフォレーション２のピッチを基準としてその８倍の３８ｍｍとされている。
【０００４】
ところで先に特開平２−６４６２１号公報、特開平２−６４６２２号公報、特開平２−６７５３７号公報にて開示する如く、３５ｍｍ写真フィルムを、その両端に形成されている従来使用されていた寸法のスプロケット孔を無くすことで、有効撮影エリアをフィルム幅方向に約３０ｍｍとし、フィルムの有効使用量を拡大するものが提案されている。
【０００５】
即ち、写真カメラにおいては電子化が進み、モータによる駆動制御もかなりの精度で行うことができ、従来のような大きなスプロケット及びパーフォレーション２を使用しなくても、十分な精度でフィルムの駆動ができることを、実験により確認できた。
【０００６】
そこで、３５ｍｍ幅の写真フィルム１からパーフォレーション２を除くとともに、そのパーフォレーション２のあった位置までコマのフィルム幅方向の長さを拡大する。すなわち、そのようにすれば、実質的な有効撮影エリアを約４０％拡大でき、したがって、それだけ画質を向上できる。
【０００７】
そこで、図１９Ａに示すように、フィルム１の幅は、現行のフィルム幅に等しい３５ｍｍとし、パーフォレーションは設けない。
そして、有効撮影エリアであるコマ３のフィルム幅方向における長さ及びフィルム長さ方向における長さは、３０ｍｍ及び４０ｍｍとする。
【０００８】
さらに、コマ３のピッチ、すなわち、フィルム１の送りピッチは例えば４２．０ｍｍとする。
ただし、このコマ３のサイズ及びピッチは、現行のテレビ放送システムに対処したものであり、したがって、コマ３のアスペクトレシオは３：４になっている。
【０００９】
そして、ＨＤＴＶ（いわゆるハイビジョン）に対処するときには、図１９Ｂに示すように、コマ３の大きさは、３０ｍｍ×５３．３ｍｍ、ピッチは例えば５７．７５ｍｍとする。なお、アスペクトレシオは９：１６である。
【００１０】
さらに、上述の数値はフルサイズの場合であり、ハーフサイズの場合は、図１９Ｃ及びＤに示すように、現行のテレビ放送システムのとき、コマ３の大きさは３０ｍｍ×２２．５ｍｍ、ピッチは例えば２６．２ｍｍ、ＨＤＴＶのとき、コマ３の大きさは３０ｍｍ×１６．９ｍｍ、ピッチは例えば２１．０ｍｍとする。
【００１１】
そして、以上のフォーマットを有するフィルム１は、図示しないが、現行の３５ｍｍフィルムと同様のパトローネ（カートリッジ）に収納される。
【００１２】
さらに、コマ３のフィルム幅方向における長さは３０ｍｍなので、コマ３とフィルム１の両側縁部との間には、それぞれ２．５ｍｍの非撮影エリアを得ることができ、これにより、撮影時におけるフィルム１の平面性の確保、フィルム１の制御、あるいはデータの読み出しや書き込みなどを実現できる。
さらに、写真カメラにフィルム給送用のスプロケットを設ける必要がないので、カメラを小型化及び軽量化できる。
【００１３】
ところで現像所に集められたフィルムは、多数同時処理工程（サービスサイズ処理工程）と個別処理工程に分けて処理される。多数同時処理工程では、毎時数千枚にもおよぶ処理をなすことで、処理スピードを上げてサービスサイズ等の現像焼き付けコストを削減することを目的としている。
【発明の開示】
【発明が解決しようとする課題】
【００１４】
しかしながら、フィルム内に異種コマサイズが混在するような場合、およびスプライス後の１本のマガジン内に同様に混在する場合、タイミング（ノッチャーパンチャ）においてフィルムの送りを人間が送り制御してノッチ開けを行う必要が生じ、毎時数千枚の処理を不可能としていた。
この結果、フィルム内に異種コマサイズがある場合には、日本国内では、各現像所の取扱が拒否という現象が生じていた。また、世界に目を向けると、スプライス後の１本のマガジン内に異種コマサイズが混在することを嫌い、ハーフサイズのコマ撮りしたフィルムの受取を拒否している現像所も多く存在する。
【００１５】
この問題は、現像した後でないと、コマサイズが判明しないことによる。予め判れば、個別処理工程に振り分けて行えるように、撮影後のフィルムに判別用のマークシールを添付する方法が考えられているが、このシールを長年にわたり供給することは、困難であり、本質的な解決となっていない。
【００１６】
本発明は斯る点に鑑み、連続するフィルム内に異種のコマサイズが存在していても自動的に焼付けすることができるようにすることを目的とする。
【課題を解決するための手段】
【００１７】
本発明写真システムは、光学的位置検出用透孔１９が配されこの光学的位置検出用透孔１９間に写真フィルムに関する情報を有する非撮影エリア、この有効撮影エリア上の画像の露光に伴いこの非撮影エリアに記録され焼付けすべきエリアを示すコマサイズ信号１２ａ、この非撮影エリアに記録されたコマ番号４１ａ及び略直線状のフィルム先端部からなりスプロケット駆動用孔を無くした写真フィルムと、スプライスして接続してなる複数のこの写真フィルムを連続的に焼き付けるため、この非撮影エリアの一縁部近傍に記録されたコマサイズ信号１２ａとコマ番号４１ａとを検出し、フィルムの給送に基づいて、コマサイズ信号１２ａを識別し正誤を判断した後、識別したコマサイズ信号１２ａに応じて指定されるマスクの開口サイズを選択してこの写真フィルムの画像を印画紙４６に焼付ける焼付け装置とからなるものである。
【発明の効果】
【００１８】
本発明においてはフィルム１の端縁に記録された撮影有効エリア位置信号４０ａによりフィルム１の送り量を制御し、フィルム１の端縁に記録された撮影有効エリア幅信号１２ａにより焼付開口部の幅、印画紙への露光用開口部幅及び印画紙の送り量を制御するので異種のコマサイズを連続的に有するフィルム１であっても自動的に良好に焼き付けができる。
【発明を実施するための最良の形態】
【００１９】
以下図面を参照して本発明写真システムの実施の形態の例につき説明しよう。
先ず、図７、図８及び図９を参照して本例に使用される写真フィルム１につき説明するに、図７、図８は撮影終了後の写真フィルムの例を示し、図９Ａ及びＢは撮影前の写真フィルムの例を示す。
【００２０】
この図９において、１６はパトローネを示し、このパトローネ１６内の３５ｍｍの写真フィルム１のフィルム撮影時に撮影方向の上方、図９では下方の図１９の非撮影エリアに相当する側辺より２．５ｍｍ幅の中心位置に所定ピッチ例えば図７例では５．２５ｍｍピッチ、図８例では６．２８ｍｍピッチで径が約１ｍｍのフィルム位置検出用小孔１９を設ける如くする。
【００２１】
この場合このフィルム位置検出用小孔１９を５．２５ｍｍピッチ及び６．２８ｍｍピッチで設けたときの各コマサイズに対するフィルムの送り量を下表に示す如くする。
【００２２】
【表１】
2004264864.tif 000003
【００２３】
この図９Ａ写真フィルム１の撮影したときの上端側縁にフィルム位置検出用小孔１９を設けると共にフィルム先端加工工程を製造から削除し、コストを削減するようにしたものであり、図９Ｂは写真フィルム１の撮影したときの上端側縁にフィルム位置検出用小孔１９を設けると共にこの写真フィルム１の先端の下部に舌片を設ける様にする。この場合、後述する如く位置検出用としてフォトカプラを使用したときにフィルム１のフィルム位置検出用小孔１９の位置が写真フィルム１の写真カメラへの装填時、この写真フィルム１の側縁部を位置検出用のフォトカプラ内に手動で挿入する必要がなく、機構による巻き取り時に自動的にこのフォトカプラ内に挿入される。
【００２４】
尚、本例の写真フィルム１の先端の舌片は通常の３５ｍｍ写真フィルムにおける位置とは上下逆である。
【００２５】
次に本例による写真フィルムが使用される本例の写真カメラにつき図１０〜図１４を参照して説明する。図１０は本例による写真カメラの図１１に示す如き後蓋を取り去ったカメラ本体を後方より見た図で、４は暗箱を示し、この暗箱４内には従来使用されているものと同様のパトローネ１６が収納されるパトローネ収納部１７と、このパトローネ収納部１７よりの写真フィルム１をレンズよりの光により露光する露光用開口部７と、撮影後の写真フィルム１を収納するフィルム収納部１８とを有している。
【００２６】
この場合パトローネ収納部１７に収納されたパトローネ１６よりの写真フィルム１は露光用開口部７を介してフィルムガイド３０，３１によりフィルム幅方向が規制され、フィルム収納部１８に撮影後移動される如くなされている。
【００２７】
このフィルム収納部１８にはフィルム自動セッティング用のガイドローラ３２が設けられると共にフィルム１を巻回するフィルムスプロール９が設けられる。
【００２８】
またこのフィルムスプロール９は後述するモータ１０により駆動する如くする。
【００２９】
また下側のフィルムガイド３０及び３１間の写真フィルム１の側縁のフィルム位置検出用小孔１９に対応する部分にこの小孔１９を検出するＬＥＤ５ａを設けると共にこのＬＥＤ５ａを写真フィルム１を介して対応する後蓋の圧板上に例えば１．５φのフォトデテクタ５ｂを設ける如くする。
【００３０】
この場合このＬＥＤ５ａとしては写真フィルム１の感光波長からずれた赤外線の９４０ｎｍの波長のものを使用する。このＬＥＤ５ａ及びフォトデテクタ５ｂよりなる小孔検出装置５の出力信号をマイクロコンピュータより成るシステムコントローラ８のカウンタに供給し、このシステムコントローラ８において写真フィルムの位置を知るようにしている。
【００３１】
またこのＬＥＤ５ａ及びフォトデテクタ５ｂの代わりに、ＬＥＤとフォトデテクタとが対向し配されたフォトカプラが使用できる。
【００３２】
また露光用開口部７はこの開口部７の左右よりせり出せる如く配された移動マスク１５によりサイズが決定されフィルムの送り方向のサイズが例えば図１０に破線で示す如く５３．３３ｍｍ、４０．００ｍｍ、２２．５ｍｍ及び１６．９０ｍｍの４種類に変更できる如くなされる。
【００３３】
即ち図１２、図１３及び図１４に示す如く、この左及び右の移動マスク１５は夫々フィルム開口部７の左及び右の側面壁に収納される如くなされると共にこの移動マスク１５の下面には直線状ギヤ３３が設けられ、ギヤボックス３５の送りギヤ３４により、この移動マスク１５は直線状に移動する如くなされる。
【００３４】
６はコマサイズ設定スイッチを示し、この移動マスク１５によるコマサイズの変更はこのコマサイズ設定スイッチ６により決定したコマサイズの指令信号がシステムコントローラ８に供給され、このシステムコントローラ８より、希望のコマサイズにする為の制御信号がステッピングモータ駆動回路１３を介してステッピングモータ１４に供給され、このステッピングモータ１４により移動マスク１５を移動すると共にこの移動マスク１５の移動に合わせて、ＬＥＤ５ａ及びフォトデテクタ５ｂより成る小孔検出装置５よりのフィルム位置検出信号をシステムコントローラ８で演算処理し、このシステムコントローラ８で得られる制御信号を増幅回路３６を介してモータ１０に供給し、このモータ１０によりフィルムスプロール９を回転し、写真フィルム１を所定長送る如くする。
上述によりフィルム撮影時のフィルムの送り制御は成される。
【００３５】
この写真フィルム１はコマサイズ設定スイッチ６により決められた量だけ送られるのであるが、ここで小孔間隔６．２８ｍｍのときのＨＤＴＶフルサイズ３０ｍｍ×５３．３ｍｍとＮＴＳＣフルサイズ３０ｍｍ×４０ｍｍとの異種サイズ混合撮影の例につき図１５を参照して説明する。
【００３６】
図１５ＡはＮＴＳＣフルサイズの連続撮影を行う場合であり、７ピッチずつ小孔１９を送り制御することで、撮影エリア３０ｍｍ×４０ｍｍを確保できる。そしてＮＴＳＣフルサイズよりＨＤＴＶフルサイズへの切り換えは図１５Ｂに示す如く小孔１９を８ピッチ送ることで撮影エリアを確保することができる。またＨＤＴＶフルサイズの連続撮影を行う場合は図１５Ｃに示すように小孔１９を９ピッチ送ることで撮影エリア３０ｍｍ×５３．３ｍｍを確保することができる。
【００３７】
またＨＤＴＶフルサイズからＮＴＳＣフルサイズへの切り換えでは図１５Ｄに示す如く小孔１９を８ピッチ送ることで、撮影エリアを確保することができる。
【００３８】
なおこのフィルムコマサイズ変更時は、フィルム撮影と同時に送られるため、予め送られたコマピッチ数に対してＮＴＳＣフルサイズからＨＤＴＶフルサイズに切り換えたときは、始め小孔１９を７ピッチ送り、更に１ピッチ送る如くし、またＨＤＴＶフルサイズからＮＴＳＣフルサイズに切り換えたときは、始め９ピッチ送り、その後１ピッチ戻す如く制御する。
【００３９】
またこの場合図１５Ｅに示すようにコマサイズ変更時に多少多めにフィルム１を送るようにしても異種サイズのコマ３を混合することができる。
【００４０】
また図７、図８は上述の如くして同一フィルム上に異種サイズのコマ３を撮影有効エリアに記録した写真フィルム１を示し、この図７例では９対１６のＨＤＴＶフルサイズ（フィルム幅方向３０ｍｍ×フィルム送り方向５３．３ｍｍ）と、３対４のＮＴＳＣフルサイズ（フィルム幅方向３０ｍｍ×フィルム送り方向４０ｍｍ）とを示し、フィルムの上端側縁に設けられた小孔１９の間隔は５．２５ｍｍであり、図８例はこの小孔１９の間隔が６．２５ｍｍの上述同様の例である。この図８例の場合、ＨＤＴＶフルサイズの１コマ分は小孔１９が９ピッチであり、ＮＴＳＣフルサイズの１コマ分は小孔１９が７ピッチであり、共に奇数であるため、コマ中心位置に小孔１９を配置でき、各コマ３の中心位置検出が容易になる。
【００４１】
また図１０及び図１３において、３７はシャッタ釦を示し、このシャッタ釦３７を操作したときにマイクロコンピュータより成るシステムコントローラ８は露光制御をすると共に撮影コマ３の中心を示す中心マーク（撮影有効エリア位置信号）を記録するマーク記録回路３８及びコマ番号を記録するコマ番号記録回路３９に夫々所定の制御信号を供給し、カメラ本体の下側のフィルムガイド３０，３１部に設けられた中心マーク記録用のＬＥＤ４０及びコマ番号記録用のＬＥＤ４１を使用して図７、図８に示す如く撮影したコマ３の中心を示す中心マーク４０ａ及びコマ番号４１ａをフィルム上端側縁に記録する。
【００４２】
またこのときシステムコントローラ８は同様にしてコマサイズ記録回路１１にコマサイズ（撮影有効エリア幅信号）に応じた制御信号を供給し、カメラ本体の下側のフィルムガイド３０，３１部に設けられたコマサイズ記録用のＬＥＤ１２を使用して図７、図８に示す如く撮影したコマ３のサイズ信号１２ａを記録する。
【００４３】
このコマサイズ記録用のＬＥＤ１２は例えば４素子のＬＥＤから構成し、コマサイズ設定スイッチ６により設定されたコマサイズのコマサイズ信号１２ａを撮影時に記録する。このコマサイズ信号１２ａとしては例えば下表に示す如きものとする。
【００４４】
【表２】
2004264864.tif 000004
【００４５】
また本例においてはこのフィルム撮影と同時にこのマイクロコンピュータより成るシステムコントローラ８より情報記録回路４２に所望の情報信号を供給し、カメラ本体の上側のフィルムガイド３０，３１部に設けられた情報記録用のＬＥＤ４３を使用して図７、図８に示す如くフィルムの下側縁にこの情報４３ａを記録する如くする。
【００４６】
この情報４３ａとしては、レンズ及びカメラ本体からの撮影時のデータ情報及び撮影者がカメラ本体の後蓋の外側に設けられた入力装置４４から入力されたデータ例えば撮影年月日、撮影者、撮影状況等であり、この記録できる情報量はフィルムのコマサイズに応じて決定され、記録できる情報量（文字数）は入力装置４４の表示素子４４ａに表示される。この場合このコマサイズに応じて情報記録用のＬＥＤ４３の発光素子数が切り換えられる如く成されている。
【００４７】
この場合においてフィルムの情報記録装置と小孔１９の設ける位置とにつき使用者の便利さ及び心理学的効果につき検討したところ次の結果を得た。
【００４８】
（１）フィルムの撮影有効エリア外縁を撮影者の情報記録帯として使用した場合に、撮影後の焼付プリント段階では情報記録位置を下端側縁に配置した方が、より好まれる。
【００４９】
（２）フィルム現像所の現像焼付工程を調査した結果、プリント上端側縁に位置するようにフィルムネガに、フィルム内容の情報を焼付ける場合が多く見られ、このフィルム内容情報と、撮影者による情報記録帯と混在することを無くすことが好ましい。
【００５０】
この結果より図９に示す如く写真フィルム１の位置検出用小孔１９はフィルム撮影時に撮影方向の上方に位置するように配置することが好ましい。
【００５１】
図１は本例によるフィルム１の焼付に用いられる自動焼付機（プリンタ）の構成を示し、この図１において、４５は印画紙４６を供給するペーパー供給リール、４７はペーパーデッキ、４８は印画しようとする印画紙の大きさを決定する可変ペーパーマスク、４９はペーパー押え板、５０はペーパー送りローラ、５１はペーパー巻取りリールである。
【００５２】
また、５２は現像したフィルム１を供給するフィルム供給リール、５３はフィルムデッキ、５４はネガキャリア可変スリット、５５はネガ押え板、５６はフィルム送りローラ、５７はフィルム巻取りリール、５８はレンズ、５９は蛇腹、６０は光源ランプ、６１はブラックシャッタ、６２はフィルタ（Ｙ．Ｍ．Ｃ）、６３は拡散ボックスである。
【００５３】
本例においては、このネガ押え板５５の所定位置にフィルム１に記録されたコマサイズ信号１２ａを検出するコマサイズセンサＳ1 及びフィルム１に記録されたコマ中心を示す中心マーク４０ａを検出するコマ中心センサＳ2 を設ける。
【００５４】
この場合コマ中心センサＳ2 によりコマ３の中心マーク４０ａを検出し、フィルム送りローラ５６を制御して、コマ中心位置をネガキャリア可変スリット５４の中心に合わせる。またこのコマサイズセンサＳ1 により検出されたコマサイズ信号１２ａにより可変ペーパーマスク４８及びネガキャリア可変スリット５４の大きさを制御する。
【００５５】
コマサイズが例えばＨＤＴＶサイズのときはネガキャリア可変スリット５４を図５Ａに示す如くすると共に可変ペーパーマスク４８を図６Ａに示す如くする。またコマサイズが例えばＮＴＳＣサイズのときはネガキャリア可変スリット５４を図５Ｂに示す如くすると共に可変ペーパーマスク４８を図６Ｂに示す如くする。
【００５６】
図２は本例によるこの自動焼付機の制御装置を示し、この図２においてはこのコマサイズセンサＳ1 及びコマ中心センサＳ2 として、フォトカプラを使用し、之等によりフィルム１の上端側縁に記録されたコマサイズ信号１２ａ及び中心マーク４０ａを検出する。
【００５７】
コマ中心センサＳ2 により検出される中心マーク４０ａにより写真フィルム１のコマ中心位置がきめられ、このコマ中心位置がきめられたコマ３のコマサイズはコマサイズセンサＳ1 により先読みされたコマサイズ信号１２ａによりマイコンよりなるマイクロプロセッサ６４で判断され、このフィルムコマサイズに合致させるように、マスクサイズ駆動用モータＭ3 を制御して可変ペーパーマスク４８を制御すると共にこのマイクロプロセッサ６４によりネガキャリア可変スリット駆動用モータＭ2 を制御して、ネガキャリア可変スリット５４を制御する。
【００５８】
また、この場合フィルム１を先読みしたコマサイズ信号１２ａに応じて、フィルムネガ送り用モータＭ1 を制御して、フィルム送りローラ５６を制御し、フィルム１を所定量送る如くすると共にペーパー送り用モータＭ4 を制御してペーパー送りローラ５０を制御し、印画紙４６を所定量送る如くする。
【００５９】
図３は、この現像された写真フィルム１とコマ中心センサＳ2 及びコマサイズセンサＳ1 との関係を示し、フィルム１の送り方向で、コマサイズ信号１２ａをコマサイズセンサＳ1 により位置決め前に検出し、フィルム１の送りとネガキャリア可変スリット５４及び可変ペーパーマスク４８を制御するもので、このコマサイズ信号１２ａはマイクロプロセッサ６４で演算処理され、このフィルム１のコマ３のコマ中心位置がだされた時には、このコマサイズが決められる如くなされたものである。
【００６０】
この図３Ａ及びＢに示されるように、フィルム１上では各コマ位置で、中央にコマ中心位置を示す中心マーク４０ａが記録され、フィルム送り方向で、先方向にコマサイズ信号１２ａが記録され、この中心マーク４０ａの後方向にフィルム１のコマ番号４１ａが記録されている。
【００６１】
上述例においてはこのコマ中心センサＳ2 及びコマサイズセンサＳ1 とはほぼ同一位置にあるが、之等は同一位置にある必要はなく、コマ中心センサＳ2 のみがネガキャリア可変スリット５４及び可変ペーパーマスク４８の中央位置にあれば良く、コマサイズセンサＳ1 はフィルムデッキ５３上のフィルム進入位置に配置しても良い。
【００６２】
図４は現像されたフィルム即ちネガフィルム１及び印画紙即ちプリントペーパー４６の送りの制御とネガキャリア可変スリット５４及び可変ペーパーマスク４８の制御とに関するマイクロプロセッサ６４のフローチャートを示し、ネガフィルム１の駆動は中心マーク４０ａがコマ中心センサＳ2 により検出するまでなされ、この中心マーク４０ａがコマ中心センサＳ2 により検出されたときにネガフィルム１の駆動が停止される。このネガフィルム１が停止されるまでの間、コマサイズ信号１２ａをコマサイズセンサＳ1 が検出し、この数をカウントする如くする。
【００６３】
このコマサイズ信号１２ａが「３」のときはネガキャリア可変スリット５４の幅を３８ｍｍとすると共に可変ペーパーマスク４８の幅を１１９ｍｍとし、またこれに対応してプリントペーパー４６を移動し、その後焼付けを行い終了する。この場合プリントペーパー４６の送りは各プリントされたコマサイズとプリントされたコマを囲む余白部及びこれに加えて各プリントコマ間の切断用余白部からなる（この切断余白部は、通常、プリントと同時に孔が形成され、ペーパーカット時に自動カット用位置信号となる。）。
【００６４】
またこのときコマサイズ信号１２ａが「４」のときはネガキャリア可変スリット５４の幅を５１ｍｍとすると共に可変ペーパーマスク４８の幅を１５８ｍｍとし、これに対応してプリントペーパー４６を移動し、その後焼付けを行い終了する。
【００６５】
またこのコマサイズ信号１２ａが「１」又は「２」のときも上述と同様になされる。
【００６６】
また、この場合このコマサイズ信号１２ａはフィルム１の上端側縁に記録されているため、中心マーク４０ａと誤判別する可能性があるが、図２に示す如くネガ送り機構のモータＭ1 に関連して、このネガ送り量を検出するネガ送り検出器Ｓ3 を設け、このネガ送り量をカウンタ６５でカウントし、このカウンタ６５のカウント値をマイクロプロセッサ６４にフィードバックするようにすればこのネガ送り量によりフィルム１上のコマサイズ信号１２ａの信号幅が検出でき、これによりコマサイズ信号１２ａが、中心マーク４０ａか、コマ番号４１ａかを判別することができる。
【００６７】
本例においては写真フィルム１の側縁に記録された中心マーク４０ａをコマ中心センサＳ2 で検出されるまで、この写真フィルム１の送り量が制御され、写真フィルム１のコマ中心位置が決められたコマ３のコマサイズはコマサイズセンサＳ1 により先読みされたコマサイズ信号１２ａよりマイクロプロセッサ６４で判断され、このコマサイズに合致させるように可変ペーパーマスク４８、ネガキャリア可変スリット５４及び印画紙４６の送り量が制御されているので異種のコマサイズの写真フィルムであっても自動的に良好に焼き付けができる利益がある。
【００６８】
尚、上述例においてはフィルム位置検出用小孔１９を検出するのにＬＥＤ５ａ及びフォトデテクタ５ｂを対向して設けるようにしたが、この代わりに、図１６及び図１７に示す如くフィルム位置検出用のフォトデテクタ及びＬＥＤを一体化したフォトカプラ６６をカメラ本体のフィルムガイド３０部に設けるようにしても良い。
【００６９】
このフォトカプラ６６の位置は図１６、図１７に示されるようにフィルムガイド３０部の任意の位置に配置することができ、特に図１７に示す如くこのフォトカプラ６６にフィルムのコマ番号４１ａ及びコマ中心位置の中心マーク４０ａを撮影と同時に露光記録するＬＥＤ４１及び４０を更に設けるようにしても良い。
【００７０】
また上述例においては、フィルムの位置検出用の小孔検出装置５は一組のＬＥＤとフォトデテクタとにより構成したが、これに限らず、異種サイズのコマ送りのピッチ送り量のずれ分を含め、二組のＬＥＤとフォトデテクタとでこの小孔検出装置５を構成するようにしても良いことは勿論である。
【００７１】
また、上述例においては同一写真フィルムに異種のコマサイズを設けた例につき述べたが、異種コマサイズの写真フィルムをつなぎ合せて自動焼付する場合にも適用することができる。
また本発明は上述例に限ることなく、本発明の要旨を逸脱することなくその他種々の構成が採り得ることは勿論である。
【図面の簡単な説明】
【００７２】
【図１】フィルム焼付装置の例を示す構成図である。
【図２】図１の制御装置の例を示す構成図である。
【図３】図１の説明に供する線図である。
【図４】図１の説明に供する線図である。
【図５】図１の説明に供する線図である。
【図６】図１の説明に供する線図である。
【図７】写真フィルムの例を示す線図である。
【図８】写真フィルムの例を示す線図である。
【図９】写真フィルムの例を示す正面図である。
【図１０】写真カメラの例を示す構成図である。
【図１１】図１０の後蓋の例を示す正面図である。
【図１２】図１０の III−III 線断面図である。
【図１３】図１０の制御装置の例を示す構成図である。
【図１４】図１２の要部の一部拡大図である。
【図１５】図１０の説明に供する線図である。
【図１６】写真カメラの他の例を示す構成図である。
【図１７】写真カメラの他の例を示す構成図である。
【図１８】従来の写真フィルムの例を示す線図である。
【図１９】従来の写真フィルムの例を示す線図である。
【符号の説明】
【００７３】
１‥‥写真フィルム、３‥‥コマ、６‥‥コマサイズ設定スイッチ、７‥‥露光開口部、８‥‥システムコントローラ、９‥‥スプロール、１０‥‥モータ、１１‥‥コマサイズ記録回路、１２ａ‥‥コマサイズ信号、１７‥‥パトローネ収納部、１８‥‥フィルム収納部、１９‥‥フィルム位置検出用小孔、２０‥‥撮影有効エリア、３０，３１‥‥フィルムガイド、３８‥‥マーク記録回路、３９‥‥コマ番号記録回路、４０ａ‥‥中心マーク、４１ａ‥‥コマ番号、４２‥‥情報記録回路、４４‥‥入力装置
【図１】
2004264864.tif 000005
【図２】
2004264864.tif 000006
【図３】
2004264864.tif 000007
【図４】
2004264864.tif 000008
【図５】
2004264864.tif 000009
【図６】
2004264864.tif 000010
【図７】
2004264864.tif 000011
【図８】
2004264864.tif 000012
【図９】
2004264864.tif 000013
【図１０】
2004264864.tif 000014
【図１１】
2004264864.tif 000015
【図１２】
2004264864.tif 000016
【図１３】
2004264864.tif 000017
【図１４】
2004264864.tif 000018
【図１５】
2004264864.tif 000019
【図１６】
2004264864.tif 000020
【図１７】
2004264864.tif 000021
【図１８】
2004264864.tif 000022
【図１９】
2004264864.tif 000023